(57)【特許請求の範囲】
【請求項１】
第１の薬剤（３０１）を保持する薬物リザーバを有する薬物送達デバイスに取り付け可能な薬用モジュール（２００）であって、薬用モジュール（２００）は：
上部保持キャップ（２０８）；
下部保持キャップ（２１０）、ここで上部保持キャップ（２０８）は下部保持キャップ（２１０）に対して軸方向に可動であり；
薬物送達デバイスへのモジュールの取り付けのために下部保持キャップ（２１０）に設けられた取り付け手段（２１８）；
上部係合針（２０４）；
下部注射針（２０６）、ここで注射針（２０６）は係合針（２０４）と流体連通し、ここで注射針（２０６）及び係合針（２０４）の少なくとも１つは下部保持キヤップ（２１０）に固定され；及び
第２の薬剤（２１６）を保持するリザーバ（２１２、２２０、６０１）であって、ここでリザーバ（２１２、２２０、６０１）は上部保持キヤップ（２０８）に操作可能に連結され、そして上記係合針（２０４）から上方に位置するもの；
を含んでなり、
ここで薬用モジュール（２００）の薬物送達デバイスへの取り付け中、
（ｉ）上部及び下部保持キャップ（２０８、２１０）間の第１の所定量の軸方向変位のところで、係合針（２０４）がリザーバ（２１２、２２０、６０１）の下部端（２３１）を穿孔し、それによって係合針（２０４）とリザーバ（２１２、２２０、６０１）間の流体連通が確立されるように、上部保持キャップ（２０８）は、下部保持キャップ（２１０）及び係合針（２０４）に向って相対的に移動するように構成され、
（ｉｉ）上部及び下部保持キャップ（２０８、２１０）間の第２の所定量の軸方向変位のところで、上部及び下部保持キャップ（２０８、２１０）間のそれに続く軸方向変位が上部保持キャップ（２０８）に抗してリザーバ（２１２、２２０、６０１）を圧縮するように、下部保持キャップ（２１０）によって供された突出部（２２８）は、リザーバ（２１２、２２０、６０１）の下部端（２３１）と接触し、そして
（ｉｉｉ）リザーバ（２１２、２２０、６０１）から第２の薬剤（２１６）が係合針（２０４）に移送され、係合針（２０４）が第２の薬剤（２１６）でプライミングされる、
上記の薬用モジュール（２００）。
【請求項２】
リザーバが第２の薬剤（２１６）を保持する折り畳み機能（２１２）を含む請求項１に記載の薬用モジュールであって、ここで折り畳み機能（２１２）は上部保持キヤップ（２０８）に操作可能に連結され、そして工程（ｉｉ）において折り畳み機能（２１２）が圧縮される、
上記薬用モジュール。
【請求項３】
取り付け中、上部及び下部保持キャップ（２０８；２１０）間の第１の所定量の軸方向変位のところで、係合針（２０４）は折り畳み機能（２１２）の下部端（２３１）を穿孔し、それにより少なくとも部分的に係合針（２０４）をプライミングする、請求項２に記載の薬用モジュール（２００）。
【請求項４】
取り付け中、上部及び下部保持機能（２０８；２１０）間の第２の所定量の軸方向変位のところで、上部及び下部保持キャップ（２０８；２１０）間のそれに続く軸方向変位が上部保持キヤップ（２０８）に抗して折り畳み機能（２１２）を圧縮するように、突出部（２２８）は折り畳み機能（２１２）の下部端（２３１）と接触する、請求項３に記載の薬用モジュール（２００）。
【請求項５】
上部及び下部保持キャップ（２０８；２１０）間の第３の所定量の軸方向変位のところで、係合針（２０４）及び注射針（２０６）がプライミングされるとき、係合針（２０４）の近位端（２４０）は折り畳み機能（２１２）の上部端（２３４）を穿孔する、請求項４に記載の薬用モジュール（２００）。
【請求項６】
投薬中及びプライミング後に、実質的にすべての第２の薬剤（２１６）は第１の薬剤（３０１）が投薬される前に投薬される、請求項１〜５のいずれか１項に記載の薬用モジュール（２００）。
【請求項７】
更にロッキング機構（４０１、４０２）を含んでなる、請求項２〜５のいずれか１項に記載の薬用モジュール（２００）であって：ここでロッキング機構（４０１、４０２）は折り畳み機能（２１２）が投薬前位置に拡大するのを阻止する、
上記薬用モジュール。
【請求項８】
リザーバが、上部保持キャップ（２０８）中のキャビティ（２２０）と又はバイアル（６０１）とすべり流体密封係合しているピストン（５０１、６０３）を含む請求項１に記載の薬用モジュールであって、ここで第２の薬剤（２１６）はキャビティ（２２０）又はバイアル（６０１）中の容量でピストン（５０１、６０３）によって保持され、そして
ここで、薬用モジュールが薬物送達デバイスに取り付けられるとき、係合針（２０４）がピストン（５０１、６０３）を穿孔し、そしてピストン（５０１、６０３）がキャビティ（２２０）又はバイアル（６０１）の容量を減少させるように移動する、
上記薬用モジュール。
【請求項９】
取り付け中、上部及び下部保持キヤップ（２０８；２１０）間の第１の所定量の軸方向変位のところで、係合針（２０４）はピストン（５０１、６０３）を穿孔し、それにより（ｉ）係合針（２０４）とキャビティ（２２０）間に流体連通を確立し、そして（ｉｉ）係合針（２０４）を少なくとも部分的にプライミングする、請求項８に記載の薬用モジュール（２００）。
【請求項１０】
取り付け中、上部及び下部保持キヤップ（２０８；２１０）間の第２の所定量の軸方向変位のところで、上部及び下部保持キヤップ（２０８；２１０）間のそれに続く軸方向変
位がピストン（５０１、６０３）を強制して近位方向に軸方向に動かすように、突出部（２２８）がピストン（５０１、６０３）と接触する、請求項９に記載の薬用モジュール（２００）。
【請求項１１】
上部及び下部保持キヤップ（２０８；２１０）間の第３の所定量の軸方向変位のところで、係合針（２０４）及び注射針（２０６）がプライミングされるとき、係合針（２０４）は上部保持キヤップ（２０８）のセプタム（５０２、６０２）を穿孔する、請求項１０に記載の薬用モジュール（２００）。
【請求項１２】
請求項１〜１１のいずれか１項に記載の薬用モジュール（２００）をプライミングする方法であって：
薬用モジュール（２００）を備える工程；
薬用モジュール（２００）を薬物送達デバイスに取り付ける工程；
薬物送達デバイスへの薬用モジュール（２００）の取り付け中、係合針（２０４）がリザーバ（２１２）を穿孔して係合針（２０４）とリザーバ（２１２）間に流体連通を確立する工程；及び
薬物送達デバイスへの薬用モジュール（２００）の取り付け中リザーバ（２１２）を強制して圧縮させ、ここで圧縮中、リザーバ（２１２）からの薬剤が係合針（２０４）及び注射針（２０６）内に移され；そして薬用モジュール（２００）の係合針（２０４）及び注射針（２０６）が二次薬剤（２１６）でプライミングされる工程；
を含んでなる、上記方法。
【発明の詳細な説明】
【技術分野】
【０００１】
本特許出願は、少なくとも２つの薬物作用物質（drug agent）を、単回用量設定機構及び単回投薬インターフェースだけを有するデバイスを用いて、別々のリザーバから送達する医療デバイス及び方法に関する。使用者によって開始される単回送達手順は、第２の薬物作用物質の非使用者設定可能用量、及び第１の薬物作用物質の可変設定用量を患者に送達するようにさせる。薬物作用物質は、２つ又はそれ以上のリザーバ、容器又は包装にて利用可能であり得て、各々は独立の（単一薬物化合物）又はプレミックスされた（共製剤化多剤薬物化合物（co-formulated multiple drug compounds））薬物作用物質を含む。具体的に、本出願は、一次薬物送達デバイスへ薬用モジュールの取り付け中に薬用モジュールをプライミングするための方法及びシステムに関する。
【背景技術】
【０００２】
特定の疾患は１つ又はそれ以上の異なる薬剤を用いる処置を必要とする。幾つかの薬物化合物は、最適治療用量を送達するために、互いに特定の関連において送達する必要がある。本提案デバイス及び方法は、併用療法が望ましいが、限定されるものではないが、安定性、不十分な（compromised）治療効果及び毒性などの理由で単一製剤では可能でない場合に特に有利である。
【０００３】
例えば、ある場合には、長時間作用型インスリンで、及びプログルカゴン遺伝子の転写産物から由来するグルカゴン様ペプチド−１（ＧＬＰ−１）で糖尿病患者を処置することは有利であり得る。ＧＬＰ−１は体内に見出され、消化管ホルモンとして腸管Ｌ細胞により分泌される。ＧＬＰ−１は、それ（及びそのアナログ）を糖尿病の有力な処置法として広範囲な検討の対象とする幾つかの生理学的性質を有する。
【０００４】
２つの活性薬剤又は作用物質（agents）を同時に送達するとき、多くの潜在的な問題がある。２つの活性剤（active agents）は、製剤の長期、貯蔵期間保存中に互いに相互作用し得る。従って、活性成分を別々に保存すること、及び送達、例えば注射、無針注射、ポンプ、又は吸入の時点でそれらを組み合わせることは有利である。しかしながら、２つの作用物質を組み合わせる方法は、使用者が確実に反復してそして安全に実施できるように単純かつ簡便である必要がある。
【０００５】
更なる問題は、併用療法を構成する各活性作用物質の量及び／又は割合は、各使用者で又はそれらの療法の異なる段階で変える必要があり得ることである。例えば１つ又はそれ以上の活性剤は、患者を「維持」用量まで徐々に導くのに調節期間（titration period）を必要とし得る。更なる例は、１つの活性剤が無調整固定用量を必要とする一方で、他の活性剤は患者の症状又は身体状況に応じて変わる場合である。この問題は、これらのプレミックス製剤が、医療関係者又は使用者により変動することができない活性成分の固定比率を有する可能性があることから、複数の活性作用物質のプレミックス製剤は好適ではない可能性があることを意味する。
【０００６】
更なる問題は、多くの使用者が１つの薬物送達システムより多く使用しなければならず、又は所要用量組み合わせの必要な正確な計算をする必要があるのに対処することができないために、多剤化合物療法が必要な場合に生じる。これは特に器用さ又は計算困難な使用者に具体的に当てはまる。更に、ある状況では、薬剤を投薬する前にデバイス及び／又はニードルカニューレのプライミング手順を実施することも必要となる。プライミング手順は、薬剤を投薬する前にデバイス及び／又はニードルカニューレから空気を除くのに使用され得る。尚更に、単回注射工程において２つの薬剤のこの送達が望まれる幾つかの薬物組み合わせでは、２つの薬剤が実質的に逐次的に送達されることはその上望ましいといえる（即ち、混合の機会が最小又はないように、順々に）。更なる問題は投薬後の薬物送達デバイス中に残り得る目減り容量に因って起こり得る。例えば、大きな目減り容量は大容量の「無駄な薬剤」をもたらし得る。
【０００７】
従って、使用者が行うのに容易で簡単な単回注射又は送達工程において、２つ又はそれ以上の薬剤の逐次送達のためのデバイス及び方法を提供する必要性が存在する。更に、薬剤の送達に先立ってプライミングされることができるようなデバイスの必要性が存在する。
【０００８】
本提案デバイス及び方法は、２つ又はそれ以上の活性薬物作用物質(例えば、一次薬剤及び二次薬剤)用の別々の保存容器を備えることにより、上記の潜在的な問題を克服する。具体的に、薬用モジュールは二次薬剤を保持し、そして薬用モジュールが薬物送達デバイスに取り付けられるとき、薬物送達システムのプライミングを可能にするように構成される。薬用モジュールは、薬用モジュールに取り付けられたニードルアセンブリをプライミングするのに十分な二次薬剤を含んでよい。薬用モジュールが一次薬物送達デバイスに取り付けられた後、薬物作用物質は次いで単回送達手順中に患者に送達される。有利なことには、薬用モジュールからの第２の薬剤及び薬物送達デバイスからの第１の薬剤は、逐次的に又は実質的に逐次的に患者に送達される。
【０００９】
提案デバイス及び方法はまた、１つ又は両方の薬剤の量を変えるための機会を与える。例えば、１つの流体量は注射デバイスの性質を変えることにより変更することができる（例えば、使用者可変用量をダイヤルし又はデバイスの「固定」用量を変化させる）。第２の流体量は、第２の活性作用物質の異なる容量及び／又は濃度を含む各バリアントの種々の二次薬物含有包装を製造することにより変えることができる。次いで使用者又は医療関係者は、最も適切な二次包装、又は特定の処置計画のための一連の異なる包装若しくはその一連の組み合わせを選択し得る。提案薬用モジュールは、薬剤の非使用者設定可能用量が保存され得る内蔵型折り畳みリザーバを含む。
【００１０】
これらの及び他の利点は本発明の下記のより詳細な記述から明らかになるものである。
【発明の概要】
【発明が解決しようとする課題】
【００１１】
本提案デバイス及び方法は、単回薬物送達システム内で多剤薬物化合物の複合組み合わせを可能にする。本提案デバイス及び方法は、使用者が単回用量設定機構及び単回投薬インターフェースを通して多剤薬物化合物デバイスを設定しそして投薬することを可能にする。本単回用量設定器は、１つの薬剤の単回用量が単回投薬インターフェースを通して設定及び投薬されるとき、個々の薬物化合物の所定の組み合わせが送達されるようにデバイスの機構を制御する。更に、薬物送達システムの薬用モジュールは、薬用モジュールが一次薬物送達デバイスに取り付け中に自動的にプライミングされるように構成される。
【００１２】
個々の薬物化合物間の治療的関係を規定することにより、提案送達デバイス及び送達方法は、患者／使用者が、使用者がデバイスを使用する毎に正確な用量組み合わせを計算及び設定する必要がある場合、多回入力に伴う固有のリスクなしに多剤薬物化合物デバイスから最適な治療的組み合わせ用量を受けることを確実にするのに役立ち得る。薬剤は、その形状を変えやすい力によって作動するとき、流れることができそして安定した速度で形状を変える液体又は気体又は紛体として、本明細書で定義される流体であってよい。
【００１３】
単回入力及び関連の所定の治療プロファイルは、それらがデバイスを使用する毎に使用者がそれらの処方量を計算する必要性を除き、そして単回入力が組み合わせ化合物の非常に容易な設定及び投薬を可能にするので、特許出願人の提案概念は器用さ又は計算困難を有する使用者にとって特に有利である。
【課題を解決するための手段】
【００１４】
好ましい実施態様では、多回用量、使用者選択可能デバイス内に含まれるインスリンなどの基本薬物化合物は、二次薬剤の単回用量を含む単回使用、使用者交換可能モジュール、及び単回投薬インターフェースで使用することが可能である。一次デバイスに連結されるとき、二次化合物は一次化合物の投薬時に起動／送達される。本出願は、具体的にインスリンを記載するが、２つの可能な薬物組み合わせとして、インスリンアナログ又はインスリン誘導体、及びＧＬＰ−１又はＧＬＰ−１アナログ、鎮痛薬、ホルモン、βアゴニスト又はコルチコステロイドなどの他の薬物若しくは薬物組み合わせ、又はいずれかの上記薬物の組み合わせが、本発明で使用し得る。
【００１５】
特許出願人の開示の、用語「インスリン」は、ヒトインスリン又はヒトインスリンアナログ若しくは誘導体を含む、インスリン、インスリンアナログ、インスリン誘導体又はその混合物を意味するものとする。インスリンアナログの例は、限定されるものではなく、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；ヒトインスリン、ここでＢ２８位置のプロリンはＡｓｐ、Ｌｙｓ、Ｌｅｕ、Ｖａｌ又はＡｌａによって置換されてよく、そしてここでＢ２９位置においてＬｙｓはＰｒｏによって置換されてよい；Ａｌａ（Ｂ２６）ヒトインスリン；Ｄｅｓ（Ｂ２８−Ｂ３０）ヒトインスリン；Ｄｅｓ（Ｂ２７）ヒトインスリン又はＤｅｓ（Ｂ３０）ヒトインスリンである。インスリン誘導体の例は、限定されるものではなく、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイル−ヒトインスリン；Ｂ２９−Ｎ−パルミトイルヒトインスリン；Ｂ２８−Ｎ−ミリストイル−ＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン及びＢ２９−Ｎ−（ω−カルボキシヘプタデカノイル）ヒトインスリンである。
【００１６】
本明細書で使用される用語「ＧＬＰ−１」は、限定されるものではなく、エキセナチド（エキセンジン−４（１−３９）、配列Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2）のペプチド、エキセンジン−３、リラグルチド、又はＡＶＥ００１０（Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｓｅｒ−Ｌｙｓ−Ｌｙｓ−Ｌｙｓ−Ｌｙｓ−Ｌｙｓ−Ｌｙｓ−ＮＨ2）を含む、ＧＬＰ−１、ＧＬＰ−１アナログ、又はその混合物を意味するものとする。
【００１７】
βアゴニストの例は、限定されるものではなく、サルブタモール、レボサルブタモール、テルブタリン、ピルブテロール、プロカテロール、メタプロテレノール、フェノテロール、メシル酸ビトルテロール、サルメテロール、ホルモテロール、バンブテロール、クレンブテロール、インダカテロールである。
【００１８】
ホルモンは、ゴナドトロピン(フォリトロピン、ルトロピン、コリオンゴナドトロピン、メノトロピン)、ソマトロピン (ソマトロピン)、デスモプレッシン、テルリプレッシン、ゴナドレリン、トリプトレリン、ロイプロレリン、ブセレリン、ナファレリン、ゴセレリンなどの、例えば脳下垂体ホルモン又は視床下部ホルモン又は調節活性ペプチド及びそれらのアンタゴニストである。
【００１９】
実施態様によれば、薬用モジュールは薬物送達デバイスに取り付け可能であり、薬物送達デバイスは第１の薬剤を保持する薬物リザーバを有する。薬用モジュールは上部保持機能及び下部保持機能を含み、ここで上部保持機能は下部保持機能に対して軸方向に可動である。薬用モジュールは更に係合針及び出力針を含み、ここで出力針は係合針と流体連通している。尚更に、薬用モジュールは第２の薬剤を保持する折り畳み機能を含み、ここで折り畳み機能は上部保持機能に操作可能に連結される。薬物送達デバイスに取り付け中、（ｉ）上部保持機能は下部保持機能に対して軸方向に動き、（ｉｉ）折り畳み機能は軸方向運動に因り圧縮され、そして（ｉｉｉ）係合針及び出力針は第２の薬剤でプライミングされる。
【００２０】
薬用モジュールが薬物送達デバイスに取り付けられるとき（ｉ）上部保持機能は下部保持機能に対して軸方向に動き、（ｉｉ）折り畳み機能は軸方向運動に因り圧縮され、そして（ｉｉｉ）係合針及び出力針は第２の薬剤でプライミングされる。
【００２１】
別の実施態様によれば、薬物送達デバイスに取り付け可能な薬用モジュールは上部保持機能及び下部保持機能を含み、ここで上部保持機能は下部保持機能に対して軸方向に可動である。薬用モジュールは更に係合針及び出力針を含み、ここで出力針は係合針と流体連通している。尚更に、薬用モジュールは上部保持機能の部分とすべり流体密封係合しているピストンを含み、ここでピストン及び上部保持機能の部分はキャビティを形成する。このキャビティは第２の薬剤を含む。薬物送達デバイスに取り付け中、（ｉ）上部保持機能は下部保持機能に対して軸方向に動き、（ｉｉ）係合針はピストンを穿孔し、（ｉｉｉ）ピストンはキャビティのサイズを減少させるように軸方向に動き、そして（ｉｖ）係合針及び出力針は第２の薬剤でプライミングされる。他の実施態様は、そのような薬物送達デバイス及びそのような薬用モジュールを含む薬物送達システムを含む。
【００２２】
薬用モジュールが薬物送達デバイスに取り付けられるとき、（ｉ）上部保持機能は下部保持機能に対して軸方向に動き、（ｉｉ）係合針はピストンを穿孔し、（ｉｉｉ）ピストンはキャビティのサイズを減少させるように軸方向に動き、そして（ｉｖ）係合針及び出力針は第２の薬剤でプライミングされる。
【００２３】
別の実施態様によれば、薬物送達デバイスに取り付け可能な薬用モジュールは上部保持機能及び下部保持機能を含み、ここで上部保持機能は下部保持機能に対して軸方向に可動である。薬用モジュールは更に係合針及び出力針を含み、ここで出力針は係合針と流体連通している。尚更に、薬用モジュールは第２の薬剤を保持するリザーバを含む。リザーバは第２の薬剤を保持する折り畳み機能であってよい。折り畳み機能は上部保持機能に操作可能に連結され得る。
【００２４】
別の実施態様によれば、薬物送達デバイスに取り付け可能な薬用モジュールは上部保持機能及び下部保持機能を含み、ここで上部保持機能は下部保持機能に対して軸方向に可動である。薬用モジュールは更に係合針及び出力針を含み、ここで出力針は係合針と流体連通している。尚更に、薬用モジュールは第２の薬剤を保持するリザーバを含む。リザーバは第２の薬剤を含んでなるキャビティであってよい。キャビティは上部保持機能に操作可能に連結され得る。上部保持機能の部分とすべり流体密封係合しているピストンはキャビティを形成し得る。
【００２５】
あるいは、第２の薬剤は上部保持機能において又はバイアルによりキャビティ中に含まれてよく、ここで第２の薬剤はキャビティ又はバイアル中の容量でピストンによって保持される。
【００２６】
尚別の実施態様によれば、薬用モジュールをプライミングする方法が提供される。方法は薬物送達デバイスに取り付け可能な薬用モジュールを備えて含まれる。薬物送達デバイスは一次薬剤を有するリザーバを含む。薬用モジュールは、（ｉ）及び係合針、（ｉｉ）及び出力針、並びに（ｉｉｉ）二次薬剤を含む折り畳みリザーバを含み、ここで係合針及び出力針は流体連通している。方法は更に、薬用モジュールを薬物送達デバイスに取り付けること、及び薬物送達デバイスへ薬用モジュールの取り付け中に係合針と折り畳みリザーバ間に流体連通を確立することを含む。方法はまた、薬物送達デバイスへ薬用モジュールの取り付け中に、折り畳みリザーバを強制して崩壊することを含み、ここで崩壊中、薬用モジュールの係合針及び出力針は二次薬剤でプライミングされる。薬用モジュールの係合針及び出力針は二次薬剤で充填され、それ故に空気を除く。
【００２７】
薬用モジュールは、適切なインターフェースを有する薬物送達デバイスとともに使用するために設計することができる。しかしながら、非適合デバイスへの不適切薬用モジュールの取り付けを阻止するための専用化又はコード化機能の利用を通して、１つの限定的一次薬物送達デバイス（又はデバイスのファミリー）にその使用を限定するためのそのような方法で、モジュールを設計することが好ましいといえる。場合によっては、薬用モジュールが１つの薬物送達デバイスに限定的であることを確実にすること、一方でまたデバイスに対して標準薬物投薬インターフェースの取り付けを許容することも有利であり得る。これはモジュールが取り付けられるとき使用者が併用療法を送達することを可能にし得て、しかしまた限定されるものではないが、一次化合物の用量分割又は追加などの場合に標準薬物投薬インターフェースを通して独立に一次化合物の送達を可能にし得る。
【００２８】
特許出願人の方法及びシステムの特別の利点は、方法及びシステムは、薬物送達デバイスへ薬用モジュールの取り付け中に使用者が出力針をプライミングすることを可能にすることである。加えて、特許出願人の提案概念に基づく薬用モジュールは、薬物送達デバイスへの取り付けに先行して薬剤の流体密封シールを提供する。有利なことには、流体密封シールは薬剤の汚染を減少させ又は阻止し得る。
【００２９】
特許出願人の方法及びシステムの別の利点は、方法及びシステムが投与後の薬用モジュール中に残る目減り量を限定し最小化するのに資することである（モジュールにおける薬剤の固定用量の容量に対して）。更に、特定の実施態様では、特許出願人の方法及びシステムは、単回投薬インターフェースを通して第１の薬剤及び第２の薬剤の逐次投薬を可能にする。このように、方法及びシステムは、第１の、一次薬剤及び第２の薬剤の混合を有利に阻止し又は限定する。これは、例えば、薬剤の混合が少なくとも１つの薬剤にマイナス又は有害影響を与えるときに有利となり得る。
【００３０】
本発明の薬用モジュールは、第２の薬剤を保持するリザーバ、互いの方に対して軸方向に可動であるように構成される上部及び下部保持機能、互いとの流体連通における係合針及び出力針を含んでよく、ここで少なくとも１つの針は下部保持機能に固定されてよい。薬用モジュールが薬物送達デバイスに取り付けられるとき、上部保持機能は下部保持機能及び係合針に対して軸方向に動き、リザーバは軸方向運動に因り圧縮され、そして少なくとも１つの係合針及び出力針は第２の薬剤でプライミングされる。
【００３１】
好ましい実施態様では、一次薬物送達デバイスは一回より多く使用され、そしてそれ故に多目的デバイスである；しかしながら、薬物送達デバイスはまた単回使用使い捨てデバイスであってよい。そのようなデバイスは一次薬物化合物の交換可能リザーバを有しても又は有さなくてもよく、提案概念は両シナリオに同様に適用可能である。既に標準薬物送達デバイスを使用している患者への１回限りの特別な薬物療法として処方し得る、種々の病状に対する一連の異なる薬用モジュールを有することも可能である。患者が既使用薬用モジュールを再使用することを試みる場合、このモジュールは、使用者が薬用モジュールから用量を送達した後起動されるロッキングニードルガードを含んでよい。使用者に警告する他の手段は下記の幾つか（又はすべて）を含んでよい：
一度モジュールが使用されて取り外されているときの、一次薬物送達デバイスへの薬用モジュールの再取り付けの物理的阻止。
一度それが使用されているときの、薬物投薬インターフェースを通したその後の流体流の物理的／水力的阻止。
一次薬物送達デバイスの用量設定器及び／又は用量ボタンの物理的ロッキング。
視覚警告（例えば、一度挿入及び／又は液体流が生じているときモジュール上の表示窓内の色の変化及び／又は警告文章／インディシア）。
聴覚フィードバック（使用後のモジュールハブの外面における聴覚機能の存在又は不存在）。
【００３２】
更なる提案機能は、両方の薬剤が１つの注射針を介してそして１つの注射工程で実質的に逐次的に送達されることである。これは２つの別々の注射剤を投与するのと比べて、使用者工程削減の観点で使用者に簡便な利点を提供する。この利便性はまた、特に注射を不快とし又は計算若しくは器用さ困難な使用者に対して、処方される療法でのコンプライアンス改善をもたらし得る。
【００３３】
本発明の種々態様のこれら並びに他の利点は、添付図面を適切に参照して下記の詳細な説明を読むことにより当業者に明らかになるものである。
【００３４】
例示的な実施態様は以下において図面を参照して本明細書に記載される：
【図面の簡単な説明】
【００３５】
【図１】特許出願人の提示薬用モジュールで使用することができる１つの可能な薬物送達デバイスの透視図を図示する。
【図２】例示的薬用モジュールの断面図を図示する。
【図３】例示的薬物送達デバイスに取り付けられる図２の例示的薬用モジュールの断面図を図示する。
【図４Ａ】薬物送達デバイスへの取り付け前の例示的薬用モジュールの断面図を図示する。
【図４Ｂ】薬物送達デバイスへの取り付け後の図４Ａの例示的薬用モジュールの断面図を図示する。
【図５】薬物送達デバイスへ取り付け前で特許出願人の薬用モジュールの別の例示的薬用モジュールの断面図を図示する。そして
【図６】薬物送達デバイスへ取り付け前で特許出願人の薬用モジュールの尚別の例示的薬用モジュールの断面図を図示する。
【発明を実施するための形態】
【００３６】
特許出願人の提案概念は、薬用モジュールが一次薬物送達デバイスに取り付けられる際に、薬用モジュールをプライミングするためのシステム及び方法である。提案概念は具体的に、二次薬剤を保持し、そして一次薬物送達デバイスへの取り付け中に二次薬剤で薬用モジュールをプライミングするように構成される薬用モジュールに関する。
【００３７】
特許出願人の提案概念の実施態様に基づく薬用モジュールは、薬物送達デバイス１００などの一次薬物送達デバイスに取り付けられ得る。図１は、図２〜３に描写される薬用モジュールなどの薬用モジュールが遠位端１３２の連結手段１０９に取り付けることができる、薬物送達デバイス１００の１つの例を図示する。各薬用モジュールは好ましくは内蔵型であり、そしてデバイス１００の遠位端１３２で取り付け手段１０９に適合可能な取り付け手段を有する密閉及び滅菌使い捨てモジュールとして提供される。示されていないが、薬用モジュールは保護及び滅菌容器に含まれ製造業者によって供給され得て、ここでは使用者は滅菌薬用モジュールにアクセスを得るためにシール又は容器それ自体を剥き又は破って開け得る。更に、薬物送達デバイス１００は単回用量設定器１１２を含んだハウジングを含む。用量設定器１１２は、カートリッジホルダ１１５中のような薬物送達デバイス中に保存され得る薬剤の一次リザーバに操作可能に連結され得る。使用者は一次薬剤の使用者選択可能用量をダイヤルするために用量ダイヤルボタン１１３を使用し得る。
【００３８】
特許出願人の提案概念は、一次薬物送達デバイスの取り付け時に自動的にプライミングされる薬用モジュールである。図２は特許出願人の提案概念の実施態様に基づく薬用モジュール２００を図示する。更に、図３は、第１の、一次薬剤３０１を保持する薬物送達デバイス３０２に取り付けられた薬用モジュール２００を含む薬物送達システム３００を図示する。下記に詳細に記載されるように、薬用モジュール２００はそれが薬物送達デバイス３０２に取り付けられ際にプライミングされる。
【００３９】
薬用モジュール２００は第１のニードルカニューレ２０４及び第２のニードルカニューレ２０６を含む。図２及び３に示されるように、第１及び第２の針は互いと流体連通している。モジュール２００及びデバイス３０２が取り付けられるとき、針が薬物送達デバイス３０２のリザーバ３０４と係合又は連通すると、第１の針２０４は本明細書で「係合針」と言われるかもしれない。更に、第２の針が、薬物送達システム３００の使用者の注射部位など、薬剤を注射部位に皮下注射するために使用され得る際に、第２の針２０６は本明細書で「出力針」と言われるかもしれない。当業者には当然のことながら、薬用モジュール２００は２つの針を含むように描写されるが、薬用モジュール２００は係合部分及び出力部分を有する単一の、両頭針を代わりに含んでよい。この単一カニューレは、真っ直ぐに穴が開けられ得るか又は、近位（入口）端に拡大セクション（例えばハイドロフォーミングで得られる）を有し得る。拡大セクション（図２に示されるように連続した２カニューレ有することによるか又は、拡大セクションを備えた単一カニューレとして形成される）の利点は、それが注射予定の二次薬剤のより大きい容量を可能にし得ることである。
【００４０】
薬用モジュール２００はまた、上部保持機能２０８、下部保持機能２１０、及び折り畳み機能２１２を含む。折り畳み機能２１２は、二次薬剤２１６などの薬剤を保持する。実例の二次薬剤は、ＧＬＰ１医薬品又はインスリン及びＧＬＰ１のプレミックス製剤を含むが、それらに限定されるものではない。使用に先立っての薬剤の可能な汚染を阻止するために、折り畳み機能２１２は流体密封シールを備える密封容器であってよい。折り畳み機能は、薬剤を確実に保持し、そして所定の力を受けて崩壊し又は圧縮することができるいずれかの好適な材料から成り得て、加えて第２の薬剤と長期接触するとき概して不活性であり、そしてそれは浸出性及び／又は抽出性に対して優れた性能をもたらす。例えば、折り畳み機能は、低密度ポリエチレン（ＬＤＰＥ）又は直鎖状低密度ポリエチレン（ＬＬＤＰＥ）から成り得る。ＴＰＥ（熱可塑性エラストマー）、液状シリコーンゴム（ＬＳＲ）及び天然ゴムを含む代替材料もまた可能である。バリア特性の改善が望ましい場合、積層材料は、例えば、一次膜材料（潜在的に上記のように）+ＰＶＣ（ポリ塩化ビニル）、ＰＣＴＦＥ（ポリクロロトリフルオロエチレン）又はアルミニウムのような更なる薄膜から成る多層材料が使用され得る。他の材料及び／又は材料組み合わせも可能である。
【００４１】
上部保持機能２０８は薬用モジュールのボディ２１４に対して軸方向に可動である。更に、この例では、下部保持キャップ又は機能２１０は固定され、それ故に上部保持機能２０８は下部保持キャップ２１０に対して軸方向に可動である。尚更に、下部保持機能２１０は、図２〜３に示されるように、係合針２０４及び出力針２０６を保持するニードルハブとして機能する。従って、係合針２０４及び出力針２０６は下部保持機能２１０中に固定される。
【００４２】
この例では、上部保持機能２０８は、内壁２２２によって画成される第１のキャビティ２２０、及び外壁２２６によって画成される第２の一般に同心キャビティ２２４を含む。第１のキャビティ２２０及び第２のキャビティ２２４は種々の異なる形状であってよい。好ましくは、キャビティ２２０及び２２４は一般に円形又は環状の断面であってよい。しかしながら、キャビティは一般に正方形などのその他の好適な多角形であってよい。外壁２２６は、薬用モジュール２００のボディ２１４に沿った軸方向運動を可能にする機能（示されず）を含んでよい。これらの機能は、軸方向運動を可能にするために薬用モジュール２００のボディ２１４の内壁上で対応の機能(示されず)と相互作用し得る。そのような機能は通常、嵌め合い部材上の対応する軸方向スロットと連通する少なくとも１つの軸方向突出部から成り得る。スロットエレメントは、２つの隣接リブ機能（又は類似の構成）間で凹部として又はギャップとして形成され得る。好ましくは、スロット機能は、薬用モジュールが一次デバイスへ取り付けられるまで、下部保持キャップに対して上部保持機能の軸位置を維持するのに資する凹凸機能（bump features）、一方向のクリップ機能等を含んでよい。更なる機能もまた好ましくは、使用中／使用後軸位置において上部保持機能を保持するために、軸方向行程の端部に又は近くに備えられ得る。そのような機能（例えば、ロッキング機構）は好ましくは、取り付け前軸位置への上部保持機能の戻りを阻止するように構成され得る。
【００４３】
図２に示されるように、折り畳み機能２１２は上部保持機能２０８と接触している。具体的に、折り畳み機能２１２は第１のキャビティ２２０に位置する。折り畳み機能２１２は上部保持機能２０８に操作可能に連結され得る。例えば、折り畳み機能の近位面は上部保持機能に接着されてよい。締まり嵌め／摩擦嵌めを含む他のタイプの連結も同様に可能である。有利なことには、薬物送達デバイス３００へ取り付け中、内壁２２２は、図３に見られるようにそして下記により詳細に記載される、第１のキャビティ２２０へ折り畳み機能２１２を画成することにより折り畳みの圧縮を制御するのに資する。
【００４４】
薬用モジュール２００はまた取り付け部材２１８を含む。取り付け手段２１８は、薬物送達デバイス３０２の取り付け手段３０８（又は、別の例では、デバイス１００の遠位端における取り付け手段１０９）など、薬物送達デバイスの対応する取り付け手段に取り付けるように構成される。取り付け手段３０８はねじ山であるように描写される；しかしながら、これはただの例のつもりであり、他の取り付け手段が可能である。更に、実例実施態様では、薬用モジュール２００はまたニードルカバー又はニードルガード(示されず)を含む。ニードルカバーは、カバーが薬用モジュール２００のボディに取り外し可能に取り付けられることを可能にする連結機能(例えば、スナップフィット機能)を有してよい。患者が経験している可能性のあるいずれの針不安を有利に減少させるために、ニードルカバー又はニードルガードは使用者の視界から実質的に出力針２０６を隠し得る。実質的に針を隠している間、ニードルカバー又はニードルガードはまた不注意な針刺しを阻止するのに資する。
【００４５】
薬物送達デバイス３００への薬用モジュール２００の取り付けは、第２の薬剤２１６を含む折り畳み部材２１２が上部保持キャップ２０８の上面２３２と接触するようにさせる。この接触は順次、上部保持機能２０８が下部保持機能２１０に対して軸方向に変位するようにさせる。図２を図３と比較するときに見られるように、取り付け中、上部保持機能２０８は方向２５０において下部保持機能２１０に向いて軸方向に動く。
【００４６】
この軸方向変位中、下部保持機能２１０（即ち、遠位内側面２３０）の上方に突出する係合針２０４は、第１の所定量の軸方向変位後折り畳み機能２１２を穿孔する。下部保持機能２１０に対する上部保持機能２０８及び折り畳み機能２１２の更なる変位は、係合針２０４が折り畳み機能２１２を通して横切るようにさせる。この横断は、少なくとも係合針２０４の部分を二次薬剤２１６によってプライミングする。
【００４７】
第２の所定量の軸方向変位では、下部保持キャップ２１０中の突出部２２８は折り畳み機能２１２の下面２３１（即ち、遠位端）と接触し、折り畳み機能２１２を圧縮するその後の変位をもたらし、そして二次薬剤２１６を係合針２０４に押し進める。図３に示されるように、突出部２２８は、それが上部保持機能２０８の第１のキャビティ２２０の直径より小さくなるような直径を有する。このように、突出部２２８は取り付け中に第１のキャビティ２２０に嵌め合うことができ、そして折り畳み機能２１２を圧縮するのに資することができる。この圧縮は更に係合針２０４を二次薬剤２１６によってプライミングするように作動する。更に、折り畳み部材２１２が十分に圧縮されるとき、折り畳み機能２１２の圧縮は薬剤２１６の最小目減りを有利に確実にする。実質的に完全な圧縮は、折り畳み部材中に保存された実質的にすべての二次薬剤２１６が、折り畳み部材から係合針２０４及び／又は出力針２０６へ流出することを確実にする。
【００４８】
下部保持機能２１０に対する上部保持機能２０８の第３の所定量の軸方向変位では、完全プライミング針２０４は、折り畳み機能２１２の上面２３４(即ち、近位端)を、そしてその後リザーバ３０４のセプタム３０６を穿孔する。一度係合針２０４がカートリッジ３０４のセプタム３０６を通過すると、第１の、一次薬剤３０１と出力針２０６間で、流体連結が行われる。
【００４９】
図３は、実質的に完全な圧縮状態における折り畳み部材２１２を描写する。この図に示されるように、係合針２０４及び出力針２０６は薬剤２１６によって完全にプライミングされる。係合針２０４及び出力針２０６を完全にプライミングするために、折り畳み機能２１２は好ましくは係合針２０４及び出力針２０６の総容量を満たすのに少なくとも十分な二次薬剤２１６を保持する。組み合わせカニューレの封入容量は好ましくは、薬剤の少なくとも小滴が出力針２０６の端部において使用者に見えるように、折り畳み部材からプライミングされ得る液体容量より小さくなり得る（デバイスがプライミングされていることを視覚的に確認するため）。
【００５０】
モジュール２００が薬物送達デバイス３０２に取り付けられた後、使用者は第１の薬剤３０１の使用者設定可能用量を設定し得る。薬物送達デバイスの用量は常法で設定し得る（例えば、薬物送達デバイス３０２の用量ダイヤルによって一次薬剤３０１の適切な多数の単位をダイヤルアウトすることにより）。第２の薬剤２１６及び第１の薬剤３０１の投薬は、次いで薬物送達デバイスの用量機構の起動を介して実現され得る。
【００５１】
使用者が薬物送達デバイスの用量ボタンを押し下げると、第１の薬剤は出力針２０６に向けて遠位方向２５０に強制的に押し進められる。第１の薬剤３０１はその後第２の薬剤２１６を強制して出力針２０６から外に出す。第２の薬剤２１６が出力針から強制して出された後、用量ボタンのその後の押し下げは、第１の薬剤３０１の用量を強制して出力針２０６から外に出させる。
【００５２】
有利なことには、第２の薬剤２１６及び第１の薬剤３０１は薬用モジュール２００から実質的に逐次的に送達される。薬用モジュール内で２つの薬剤を混合するリスクを最小化するのに資するために、２つの液体が相互作用する表面の直径はできる限り小さくて、そしてこれが送達中「栓流（plug flow）」を確実にするのに資するように出口と同じような直径であることが好ましい。特許出願人の提案概念では、２つの薬剤が相互作用する表面の直径は十分小さく「栓流」を確実にするのに資する。具体的に、２つの薬剤が相互作用する表面の直径は係合針２０４の近位端２４０の直径に限定される。このように、栓流に因り、第２の薬剤２１６及び第１の薬剤３０１は実質的に逐次的に送達される。しかしながら、当業者には当然のことながら、２つの薬剤の多少の混合は実質的に逐次的な送達中可能である。
【００５３】
使用者が第１及び第２の薬剤３０１、２１６の投薬を終了後、使用者は注射部位から出力針２０６を取り外し得る。次いで、空乏薬用モジュール２００は廃棄され得る。薬物送達デバイス３０２が未だ幾らかの第１の薬剤３０１を保持すると仮定すると、薬物送達デバイス２０４は必要に応じて患者によって再使用され得る。
【００５４】
特定の実施態様では、モジュールが薬剤を送達するために使用された後、その圧縮状態において折り畳み機能２１２を保持する薬用モジュール中にロッキング機構が含まれてよい。即ち、そのようなロッキング機構は、折り畳み機能２１２を崩壊された状態に保ち、そしてそれがその投薬前位置に伸張することを阻止し得る。そのようなロッキング機構は、それぞれ上部保持及び下部保持機能２０８及び２１０上でクリップ機能４０１及び４０２の使用を通して形成され得る。これらのクリップ機能は好ましくは、図４Ａ及び４Ｂに示されるように、２つの部材間で一方向の軸方向運動だけを許容するように構成され得る。そのようなロッキング機構は、二次薬剤(即ち、第２の薬剤２１６)の固定用量が必要ない場合の例において、二度目の使用者によるニードルサブアセンブリの再使用を許容し得る。これが望ましいと思われる場合の実例シナリオは、限定されるものではないが、患者がそれらの用量を２つ又はそれ以上のより小さい用量に分割する必要があり得る又は望む例を含む。これが事例となり得る特定の使用シナリオの１つの実例は、一次薬剤の総量が薬物送達デバイス内に含まれる薬物カートリッジ中に得られ／残ってないかもしれない場合、多目的薬物送達デバイスの保管寿命の終わりになっている。この例では、患者は「古い」デバイスから残存用量を、そして次に新しいデバイスから所要用量の残りを服用するように選び得て、その場合に二度目の薬用モジュールの再使用は、（新しい未使用モジュールを取り付けるよりむしろ）患者が二次薬剤の第２の用量を受けることを阻止し得る。有利なことには、その崩壊状態に折り畳み機能を保持することは、使用後の薬用モジュール中の過剰目減りを限定し又は阻止し得る。
【００５５】
特許出願人の提案概念に基づく薬用モジュールはまた、薬用モジュールの単回使用を促進又は確実にするための機能を含んでよい。そのような機能は、別の薬物送達デバイスへの再取り付けを阻止する針又は機能をロックアウトするロックアウト機能を含んでよい。あるいは、他の手段を介した薬用モジュールを通してのその後の投薬を妨げる機能が存在してよい。しかしながら、上記の分割用量シナリオのために構成される実施態様など、特定の実施態様では、単回使用を促進又は確実にするための薬用モジュールの機能は、好ましくは薬用モジュールの１回再使用を許容するように構成され得る。
【００５６】
特許出願人の提案概念の別の実施態様では、一次薬物送達デバイスへの取り付け中薬用モジュール２００のプライミングを容易にするために、ピストン配置が折り畳み部材の代わりに使用し得る。図５及び６はそのようなピストン設計の２つの可能な実施態様を示し、その各々は使用前状態で示される。図５では、第２の薬剤２１６は、遠位端でピストン５０１の使用により上部保持機能２０８中のキャビティ２２０内に含まれ、そしてキャビティで分離又は共成形し得るセプタム５０２を備えた近位端において密閉される。図６では、第２の薬剤２１６は、ガラス又はプラスチックなど、いずれの薬剤適合性材料で製造し得るチューブ又はバイアル６０１内に含まれる。薬剤は、近位セプタム又は栓６０２及びすべりピストン６０３を備えたバイアル６０１内に含まれる。バイアル６０１は、接着剤、溶接、圧入又は当業者に公知のその他の手段によってキャビティ２２０内に保持することができる。しかしながら、当業者には当然のことながら、薬用モジュール２００に対して上記の多くの可能性及び入れ替えは薬用モジュール４００に同様に適用し得る。
【００５７】
図５を参照して、二次薬剤２１６は、上部保持機能２０８の部分又はキャップ（例えば、キャビティ）とピストン５０１間に形成されるキャビティ２２０内に含まれる。ピストン５０１は、上部保持キャップ２０８の部分の内壁とすべり流体密封係合しており、それ故に二次薬剤のための流体密封シールを提供する。第１の実施態様を参照して上記のように、上部保持キャップに対する下部保持キャップの変位は、係合針２０４にピストン２５１を穿孔させそして薬剤を通して横切らせ、針をプライミングするようにさせる。第２の所定変位では、下部保持キャップ２１０中に存在する突出部２２８はピストン２５１と接触し、出力及び係合針２０４をプライミングするようにその後の変位を更に作動させる。
【００５８】
第３の所定の変位では、係合針２０４は上部保持機能２０８の上面を、好ましくは第１の実施態様と同じように薬物送達デバイスのセプタム又は栓（図５では５０２及び図６では６０２）及びカートリッジのセプタムを通して穿孔する。一度係合針２０４がカートリッジのセプタムを通過すると、第１の薬剤３０１と係合及び出力針２０４、２０６間で流体連結が作られる。前述のように、薬物送達デバイスの用量は次いで常法（例えば適切な単位数をダイヤルアウトすることにより）で設定される。２つの薬剤の投薬は、次いで多目的デバイスの投薬機構の起動を介して実現される。
【００５９】
第２の薬剤２１６の完全投薬後、出力針２０６は注射部位から取り外されそして薬用モジュール２００は廃棄することができ、必要に応じて患者によって多目的デバイスを再使用することを可能にする。
【００６０】
特許出願人の提案概念はまた薬用モジュールをプライミングする方法を含む。方法は薬物送達デバイスに取り付け可能な薬用モジュールを備えることを含む。薬物送達デバイスは一次薬剤を有するリザーバを含む。薬用モジュールは、（ｉ）及び係合針、（ｉｉ）及び出力針、並びに（ｉｉｉ）二次薬剤を含む折り畳みリザーバを含み、ここで係合針及び出力針は流体連通している。方法は更に、薬用モジュールを薬物送達デバイスに取り付けること、及び薬物送達デバイスへ薬用モジュールの取り付け中に係合針と折り畳みリザーバ間の流体連通を確立することを含む。方法はまた、薬物送達デバイスへ薬用モジュールの取り付け中に、折り畳みリザーバを強制して崩壊することを含み、ここで崩壊中薬用モジュールの係合針及び出力針は二次薬剤でプライミングされる。
【００６１】
薬用モジュール２００又は薬用モジュール４００など、特許出願人の提案概念に基づく薬用モジュールは多数の利点を提供する。例えば、上記のように、特許出願人の提案概念に基づく薬用モジュールは一次薬物送達デバイスに取り付け時にプライミングされる。デバイスは取り付け時にプライミングされるので、使用者はプライミング動作を行うためにいずれの更なる処置又は手段を取る必要がないと考えられる。例えば、場合によっては、使用者はプライミング操作行うのを忘れ又は無視する可能性があることから、これは有利といえる。
【００６２】
別の例では、特許出願人の提案概念は有利に、薬用モジュール中に保存された二次薬とそれに続いて一次薬物送達デバイスからの一次薬剤の逐次投薬を可能にする。一次薬剤及び二次薬剤が出口直径に対して相互作用する場合、提案薬用モジュールは表面の直径を限定し、それ故に一次及び二次薬剤の栓流を確実にするのに資する。それ故、有利なことには、提案概念はデバイス内で２つの薬剤の混合を阻止又は制限する。これは併用投与の効果が時間とともに減少する用途に対して有利であり得て、それでインビボでも起ってできる限り治療効果を最大化する混合が最良である。
【００６３】
本明細書に記載の実施態様の薬用モジュール間の連結又は取り付けは、特定の薬用モジュール又は薬用モジュールの特定のセット又はキットが補完又は適合薬物送達デバイス又はデバイスにだけ取り付け可能であることを確実にするのに資する、コネクタ、止め具、スプライン、リブ、溝、及び類似の設計機能など、更なる機能(示されず)を含んでよい。そのような更なる機能は、非適合注射デバイスへの不適切薬用モジュールの挿入を阻止し得る。
【００６４】
薬用モジュールの形状は、円筒体、又は流体リザーバを画成するのに若しくは薬用モジュールにおいて薬剤の個別の内蔵型リザーバを含むのに、そして１つ又はそれ以上のニードルカニューレを取り付けるのに好適なその他の幾何学的図形であってよい。薬用モジュールは(図６に図示されるように)ガラス又は他の薬物接触に好適な材料から製作することができる。一体化出力針は皮下又は筋肉内注射に好適ないずれのニードルカニューレであり得る。好ましくは、薬用モジュールは、無菌性を保つために密閉されている単独型又は分離デバイスとして医薬製造業者によって提供される。モジュールの滅菌シールは好ましくは、薬用モジュールが使用者によって薬物送達デバイスに前進し又は取り付けられるとき、自動的に、例えば切断、引き裂き又は剥離によって開けられるように設計される。複数の薬用モジュールを含むキットも提供され得る。そのようなキットは、各モジュールが同じ薬剤、異なる薬剤、又は異なる薬剤濃度を有する場合、１つ又はそれ以上の薬用モジュールを含み得る。
【００６５】
特許出願人の概念の薬用モジュールは、多回使用注射デバイス、好ましくは図１に図示されるものと類似の、ペン型多回用量注射デバイスと連動して作動するように設計され得る。注射デバイスは再使用可能又は使い捨てデバイスであってよい。使い捨てデバイスとは、薬剤を予め充填した製造業者から得られ、そして初回の薬剤を使い切った後に新しい薬剤を再充填することができない注射デバイスを意味する。デバイスは固定用量又は設定可能用量及び、好ましくは、多回用量デバイスであってよいが、しかしながら、ある場合には単回用量、使い捨てデバイスを使用することが有利となり得る。
【００６６】
典型的な注射デバイスは薬剤のカートリッジ又は他のリザーバを含む。このカートリッジは、一般的に管状形であり、通常はガラスで製作される。カートリッジは一端においてゴム栓で、そして他端においてゴム製セプタムによって密閉される。注射ペンは頻回注射剤を送達するように設計される。送達機構は一般的に使用者の手動動作により作動し、しかしながら、注射機構はまた、ばね、圧縮気体又は電気エネルギーなどの他の手段によっても作動し得る。
【００６７】
本発明の例示的な実施態様が記載されている。しかしながら、当業者には当然のことながら、変更又は修正は、特許請求の範囲によって規定される本発明の真の範囲及び精神から逸脱することなくこれらの実施態様で行われてよい。
【図１】
0005943931.tif 000002
【図２】
0005943931.tif 000003
【図３】
0005943931.tif 000004
【図４Ａ】
0005943931.tif 000005
【図４Ｂ】
0005943931.tif 000006
【図５】
0005943931.tif 000007
【図６】
0005943931.tif 000008